(57)【要約】【課題】本発明は、断熱性能を損なうことなく、火災時の外断熱プレキャスト版内の断熱材の延焼を防止できる外断熱プレキャスト版、及び外断熱壁を提供する。【解決手段】外断熱プレキャスト版１は、外壁成形板２と、断熱材３と、内壁成形板４とにより構成され、断熱材３の上端面には第１の耐火材６が配されている。鉛直方向及び水平方向に隣り合う外断熱プレキャスト版１の目地部において内壁成形板４側は、内壁成形板４の外周面に設けられた溝４ａに嵌合するようにガスケット７が配置され表面が一様な平面を形成するように、ガスケット７に接する深さまで第２の耐火材８が充填されている。一方、外壁成形板２側の目地部には、所定の深さ位置に目地充填材９が充填され、表面が一様な平面を形成するように、前記目地充填材９に接する深さまでシーリング材１０が充填されている。【選択図】  図３
2004162471.tif 000002
【特許請求の範囲】
【請求項１】
外断熱構造によるコンクリート造躯体の外断熱壁を構成する外断熱プレキャスト版であって、
平面視四辺形に形成される板状の断熱材と、
該断熱材の一方の面に配され、建築物の外壁を構成するコンクリート造の外壁成形板と、
該断熱材の他方の面に配され、建築物の内壁を構成するコンクリート造の内壁成形板とにより形成され、
前記断熱材の外周面の少なくともいずれか一辺に、第１の耐火材が配されることを特徴とする外断熱プレキャスト版。
【請求項２】
請求項１に記載の外断熱プレキャスト版において、
前記断熱材の上端面に、前記第１の耐火材が配されることを特徴とする外断熱プレキャスト版。
【請求項３】
請求項１に記載の外断熱プレキャスト版において、
前記断熱材の四辺に、外周縁を形成するように第１の耐火材が配されることを特徴とする外断熱プレキャスト版。
【請求項４】
請求項１から３のいずれかに記載の外断熱プレキャスト版を、建築物の架構に対して同一平面を形成するように水平方向及び鉛直方向に連続して配置することにより形成される外断熱壁であって、
隣り合う外断熱プレキャスト版の内壁成形板側の目地部には、内壁成形板の表面どうしを連続するように、第２の耐火材が配されることを特徴とする外断熱壁。
【発明の詳細な説明】
【０００１】
【発明の属する技術分野】
本発明は、外断熱構造によるコンクリート造躯体の外断熱壁を形成するための外断熱プレキャスト版、及び外断熱壁に関する。
【０００２】
【従来の技術】
外断熱構造によるコンクリート造躯体の外断熱壁を形成する外断熱工法は、構造物の外壁と内壁の間に断熱材を設けることで、蓄熱効果を向上するとともに結露を防止する工法として知られている。一般には、裏面に断熱材が備えられたプレキャスト型枠を、建築物の鉄筋コンクリート躯体に一体的に配置するものや、内壁及び外壁を構成する対をなすプレキャスト版に断熱材を挟み込むことにより形成された外断熱プレキャスト版を、構造物の架構に打ち込む等の方法が用いられる。
【０００３】
【特許文献１】
特開昭６０−１０９４４６号公報
【０００４】
【発明が解決しようとする課題】
ところで、上述するようなプレキャスト型枠や外断熱プレキャスト版を用いた外断熱工法では、外断熱壁に開口部を設けた際の開口部の外周縁や隣り合う外断熱プレキャスト版の接合部等に、断熱材の露出した部位が形成される。このため、火事等が発生した場合には、露出した断熱材に着火することが考えられ、断熱材の材質によっては壁内部で延焼する可能性が高く、火災の拡大や外壁仕上げ材の剥落等の危険性が懸念されている。
【０００５】
上記事情に鑑み、本発明は、火災時の外断熱プレキャスト版内の延焼を防止できる外断熱プレキャスト版、及び外断熱壁を提供することを目的としている。
【０００６】
【課題を解決するための手段】
請求項１記載の外断熱プレキャスト版は、外断熱構造によるコンクリート造躯体の外断熱壁を構成する外断熱プレキャスト版であって、平面視四辺形に形成される板状の断熱材と、該断熱材の一方の面に配され、建築物の外壁を構成するコンクリート造の外壁成形板と、該断熱材の他方の面に配され、建築物の内壁を構成するコンクリート造の内壁成形板とにより形成され、前記断熱材の外周面の少なくともいずれか一辺に、第１の耐火材が配されることを特徴としている。
【０００７】
請求項２記載の外断熱プレキャスト版は、前記断熱材の上端面に、前記第１の耐火材が配されることを特徴としている。
【０００８】
請求項３記載の外断熱プレキャスト版は、前記断熱材の四辺に、外周縁を形成するように第１の耐火材が配されることを特徴としている。
【０００９】
請求項４記載の外断熱壁は、請求項１から３のいずれかに記載の外断熱プレキャスト版を、建築物の架構に対して同一平面を形成するように水平方向及び鉛直方向に連続して配置することにより形成される外断熱壁であって、隣り合う外断熱プレキャスト版の内壁成形板側の目地部には、内壁成形板の表面どうしを連続するように、第２の耐火材が配されることを特徴としている。
【００１０】
【発明の実施の形態】
以下に、本発明の外断熱プレキャスト版、及び該外断熱プレキャスト版により構成される外断熱壁を示す。本発明の外断熱プレキャスト版は、断熱材が露出していた部位に耐火材を配置することにより、火事等が発生した際の断熱材への着火や延焼を防止するものである。なお、本実施の形態では、外断熱プレキャスト版を構成する外装成形板及び内装成形板の両者が、プレキャストコンクリートにより構成されている場合を例にとり、詳述する。
【００１１】
図１に示すように、外断熱プレキャスト版１は、外壁成形板２と、断熱材３と、内壁成形板４とにより構成されている。該断熱材３は、一様の厚さを持った平面視四角形の板状に形成されており、その材料には一般に用いられている硬質ウレタンフォーム等の発泡系断熱材が用いられている。なお、断熱材３は、所望の断熱性能に応じてその材料、及び厚さを決定すればよい。
該断熱材３の一方の面３ａには、全面を覆おうことが可能な大きさに成形された、平面視四角形の板状の外壁成形板２が配されている。該外壁成形板２は、プレキャストコンクリート板よりなり、表面には外装仕上げ材５として外壁タイルが一体化されている。このほかに、外壁成形板２としては、石材、もしくはコンクリート素地板吹き付け、押し出し成形板等を用いることができる。
また、断熱材３の他方の面３ｂにも、外壁成形板２と同様な大きさを有する平面視四角形の板状の内壁成形板４が配されている。該内壁成形板４は、プレキャストコンクリート板よりなり、外周面の所定位置には、両側端面及び上下端面の長さ方向に延在し、各々が連続するように溝４ａが形成されている。
【００１２】
ところで、上述する外断熱プレキャスト版１の上端部には、断熱材３の上端面が所定深さまで切り欠かれて、底部が断熱材３、両側が外壁成形板２及び内壁成形板４によりなる凹部が形成されており、該凹部に第１の耐火材６が嵌合されている。本実施の形態において、第１の耐火材６には、軽量で木材と同等の加工性を有し、寸法安定性が良く比較的断熱性の高いケイカル板を用いているが、必ずしもこれにこだわるものではなく、耐火性能が高いとともに断熱性が良く、加工性の良い材料であれば、いずれを用いても良い。このように、外断熱プレキャスト版１の上端部において断熱材３を露出することなく、第１の耐火材６で覆うことにより、コンクリート造の建築物に外断熱壁を構築すべく同一平面を形成するように上下端面どうしを向かい合わせるように連続して複数の外断熱プレキャスト版１を配置した際に、火災等が発生し断熱材３に着火した場合にも、上方の外断熱プレキャスト版１内の断熱材３への延焼を抑制することが可能になるものである。
【００１３】
本実施の形態では、このような第１の耐火材６を、前記断熱材３の上端面に配置する構成を示したが、必ずしもこれに限るものではなく、外周面の何れかに配置されていればよい。これにより、火災等が発生し断熱材３に着火した場合にも、隣り合う外断熱プレキャスト版１内の断熱材３への延焼を抑制することが可能になるものである。
一方で、図２に示すように、断熱材３の四辺に外周縁を形成するようにして、第１の耐火材６を配置する構成としても良い。これにより、隣り合う外断熱プレキャスト版１内の断熱材３への延焼はより効果的に抑制するできるものである。
なお、何れの場合にも、前記第１の耐火材６は、外壁成形板２及び内壁成形板４に充分に接する深さまで配置するものである。
【００１４】
上述するような、断熱材３の上端部に第１の耐火材６が配置されている外断熱プレキャスト版１を複数用いた建築物の外断熱壁１２の構成を以下に示す。
【００１５】
該外断熱壁１２は、複数の該外断熱プレキャスト版１を、建築物の架構に対して垂直平面を形成するように鉛直方向及び水平方向の各々で隣り合うように配置することにより構成されている。ここで、鉛直方向に隣り合う外断熱プレキャスト版１の目地部１１を図３（ａ）、水平方向に隣り合う外断熱プレキャスト版１の目地部１１を図３（ｂ）に示す。
図３（ａ）及び図３（ｂ）に示すように、これら鉛直方向及び水平方向に隣り合う外断熱プレキャスト版１の目地部１１において内壁成形板４側は、前記内壁成形板４に設けられた溝４ａに嵌合するようにガスケット７が配置されているとともに、内壁成形板４の表面が一様な平面を形成するように、前記ガスケット７に接する深さまで第２の耐火材８が充填されている。なお、本実施の形態において、該第２の耐火材８には、高耐火性能を有し、吸音材としても一般に用いられているロックウールを用いているが、これにこだわるものではなく、ロックウールと同等以上の高耐火性能を有するものであればいずれを用いても良い。
【００１６】
一方、外壁成形板２側の目地部１１には、所定の深さ位置に目地充填材９が充填されているとともに、外壁成形板２の表面が一様な平面を形成するように、前記目地充填材９に接する深さまでシーリング材１０が充填されている。本実施の形態において、目地充填材９には、前記第２の耐火材８と同様のロックウール等の耐火材を用いているとともに、シーリング材１０には、防水性能の高い変成シリコンを用いている。しかし、用いる材料はこれにこだわるものではなく、目地充填材９には、耐火性の優れた材料、シーリング材１０には、防水性の優れた材料で、かつ隣り合う外断熱プレキャスト版１の目地部の変位に追随する材料であれば、いずれを用いても良い。なお、前記外壁成形板２側の目地部１１には、必ずしも耐火性能の優れた前記目地充填材９を用いる必要はない。
【００１７】
また、前記断熱材３の四辺に外周縁を形成するように第１の耐火材６が配された外断熱プレキャスト版１を、建築物の架構に対して垂直平面を形成するように鉛直方向及び水平方向の各々で隣り合わせて配置することにより構成された外断熱壁１２について、鉛直方向に隣り合う外断熱プレキャスト版１の目地部１１を図４（ａ）に、水平方向にの隣り合う外断熱プレキャスト版１の目地部１１を図４（ｂ）に示す。
隣り合う外断熱プレキャスト版１の目地部１１において内壁成形板４側は、前記内壁成形板４に設けられた溝４ａに嵌合するようにガスケット７が配置されているとともに、内壁成形板４の表面が一様な平面を形成するように、前記ガスケット７に接する深さまで第２の耐火材８が充填されている。
一方、外壁成形板２側の目地部１１には、所定の深さ位置に目地充填材９が充填されているとともに、外壁成形板２の表面が一様な平面を形成するように、前記目地充填材９に接する深さまでシーリング材１０が充填されている。このとき隣り合う外断熱プレキャスト版１の向かい合う上下端面及び両側面には、断熱材３が露出されることがなく、断熱材３の四方に配された第１の耐火材６が向かい合う構成となっている。
【００１８】
上述する構成によれば、前記断熱材３の外周面の何れか一辺に第１の耐火材６が配された外断熱プレキャスト版１を用いることから、火災が発生し、外断熱プレキャスト版１の断熱材３に着火した際にも、隣り合う外断熱プレキャスト版１の断熱材３に延焼する範囲を抑制することが可能となる。
【００１９】
さらに、図２に示すような、断熱材３の四辺を第１の耐火材６で囲った外断熱プレキャスト版１を用いることにより、例えば、外断熱プレキャスト版１に開口部等を設ける構成としても、開口部を備える外断熱プレキャスト版１の上下端面及び側面には断熱材３が露出することがないため、火災等が発生した際に隣り合う外断熱プレキャスト版１の断熱材３に延焼することがなく、火災の拡大や外壁仕上げ材５の脱落等を抑制することが可能となる。さらに、開口部の周縁における断熱材３の露出部も耐火材６を配し、開口部を囲うことが望ましい。
また、前記外断熱壁１２の目地部１１には、内壁成形板４側に第２の耐火材８が充填されていることから、室内から出火した場合にも外断熱壁の目地部から内方に着火することを防止することが可能となる。
【００２０】
【発明の効果】
請求項１、２記載の外断熱プレキャスト版によれば、外断熱構造によるコンクリート造躯体の外断熱壁を構成する外断熱プレキャスト版であって、平面視四辺形に形成される板状の断熱材と、該断熱材の一方の面に配され、建築物の外壁を構成するコンクリート造の外壁成形板と、該断熱材の他方の面に配され、建築物の内壁を構成するコンクリート造の内壁成形板とにより形成され、前記断熱材の外周面の少なくともいずれか一辺に、第１の耐火材が配される。もしくは、前記断熱材の上端面に、前記第１の耐火材が配されることから、火災が発生し、外断熱プレキャスト版の断熱材に着火した際にも、隣り合う外断熱プレキャスト版の耐火材に延焼する範囲を抑制することが可能となる。
【００２１】
請求項３記載の外断熱プレキャスト版によれば、前記断熱材の四辺に、外周縁を形成するように第１の耐火材が配されることから、外断熱プレキャスト版の所望位置に開口部等を設ける構成としても、開口部を備える外断熱プレキャスト版の上下端面及び側面は断熱材が配されているため、火災が発生した際に、該外断熱プレキャスト版のみが燃焼し、隣り合う外断熱プレキャスト版の断熱材に延焼することがなく、火災の拡大や外装仕上げ材の脱落等を抑制することが可能となる。
【００２２】
請求項４記載の外断熱壁によれば、請求項１から３のいずれかに記載の外断熱プレキャスト版を、建築物の架構に対して同一平面を形成するように水平方向及び鉛直方向に連続して配置することにより形成される外断熱壁であって、隣り合う外断熱プレキャスト版の内壁成形板側の目地部には、内壁成形板の表面どうしを連続するように、前記ガスケットと接する厚さまで第２の耐火材が配されることから、室内から出火した場合にも外断熱壁の目地部から内方に着火することを防止することが可能となる。
【図面の簡単な説明】
【図１】本発明の外断熱プレキャスト版を示す図である。
【図２】本発明の外断熱プレキャスト版の他の事例を示す図である。
【図３】本発明の外断熱プレキャスト版の接合構造を示す図である。
【図４】本発明の他の事例の外断熱プレキャスト版の接合構造を示す図である。
【符号の説明】
１  外断熱プレキャスト版
２  外壁成形板
３  断熱材
４  内壁成形板
４ａ  溝
５  外壁仕上げ材
６  第１の耐火材
７  ガスケット
８  第２の耐火材
９  目地充填材
１０  シーリング材
１１  目地部
１２  外断熱壁
【図１】
2004162471.tif 000003
【図２】
2004162471.tif 000004
【図３】
2004162471.tif 000005
【図４】
2004162471.tif 000006